【手続補正書】
【提出日】平成16年3月4日(2004.3.4)
【手続補正１】
【補正対象書類名】特許請求の範囲
【補正対象項目名】全文
【補正方法】変更
【補正の内容】
【特許請求の範囲】
【請求項１】
画面に表示された単語が選択された場合に，選択された単語を検索キーワードとする検索条件を指定してサーチエンジンに検索を行わせる手段と，
前記指定された検索条件に基づき前記サーチエンジンによって行われた検索結果を取得する手段と
を備えたことを特徴とする文書情報管理装置。
【請求項２】
画面に表示された単語が選択された場合に，選択された単語を検索キーワードとする検索条件を指定してサーチエンジンに検索を行わせ，
前記指定した検索条件に基づき前記サーチエンジンによって行われた検索結果を取得する
ことを特徴とする文書情報管理方法。
【請求項３】
複数の文書ファイルを記憶する記憶手段と，
前記文書ファイルの画面表示を行う表示手段と，
前記表示手段に表示されている単語を選択する操作手段と，
検索キーワードに基づいて前記記憶手段から該当する文書ファイルを検索する検索手段とを備え，
前記検索手段は，前記表示手段に表示されている単語が前記操作手段により選択された場合，選択された単語をキーワードとして用いて文書ファイルの検索を行い，
前記表示手段は，前記検索手段の検索結果を表示する
ことを特徴とする文書情報管理装置。
【請求項４】
文書ファイルの画面表示を行なう表示ステップと，
前記表示ステップによって画面上に表示されている単語が選択された場合，選択された単語をキーワードとして指定する指定ステップと，
前記指定ステップによって指定されたキーワードに基づいて，複数の文書ファイルを記憶した記憶手段から該当する文書ファイルを検索する検索ステップと，
前記検索ステップによる検索結果の画面表示を行なう検索結果表示ステップと
を含むことを特徴とする文書情報管理方法。
【請求項５】
少なくとも非ハイパーテキストを含んだ複数の文書ファイルを記憶したデータベース手段と，
前記非ハイパーテキストの画面表示を行なう表示手段と，
前記表示手段に表示されている非ハイパーテキスト中の単語を選択する操作手段と，
前記表示手段に非ハイパーテキストが表示されている場合において，指定されたキーワードに基づいて前記データベース手段から該当する文書を検索する検索手段とを備え，
前記検索手段は，前記選択手段により前記表示手段に表示されている単語が選択された場合，選択された単語をキーワードとして指定して検索を行い，
前記表示手段は，前記検索手段により行われた検索の結果を表示する
ことを特徴とする文書情報管理装置。
【請求項６】
非ハイパーテキストの画面表示を行なう表示ステップと，
前記非ハイパーテキストが表示されている場合において，指定されたキーワードに基づいてあらかじめ登録された複数の文書ファイルから前記非ハイパーテキストを含んだ該当文書を検索する検索ステップとを含む文書情報管理方法であって，
前記検索ステップでは，画面表示されている前記非ハイパーテキスト中の単語が選択された場合，選択された単語をキーワードとして指定して検索を行い，検索結果を画面表示させる
ことを特徴とする文書情報管理方法。
【請求項７】
複数の文書ファイルを記憶したデータベース手段と，
文書ファイルの画面表示を行なう表示手段と，
前記表示手段に表示されている文書中の単語を選択する操作手段と，
前記表示手段に文書が表示されている場合において，指定されたキーワードに基づいて前記データベース手段から該当する文書を検索する検索手段とを備えた文書情報管理装置であって，
前記検索手段は，前記表示手段により表示されている文書中の非ハイパーテキスト単語が選択された場合，選択された非ハイパーテキスト単語をキーワードとして前記検索手段により検索を行ない，
前記表示手段は，その検索結果を画面上に表示する
ことを特徴とする文書情報管理装置。
【請求項８】
文書の画面表示を行なう表示ステップと，
前記表示された文書が表示されている場合において指定されたキーワードに基づいてあらかじめ登録された複数の文書ファイルから該当する文書を検索する検索ステップとを備えた文書情報管理方法であって，
前記検索ステップでは，前記画面に表示されている文書中の非ハイパーテキスト単語が選択された場合，選択された非ハイパーテキスト単語をキーワードとして前記検索を行ない，その検索結果を画面上に表示させる
ことを特徴とする文書情報管理方法。
【手続補正２】
【補正対象書類名】明細書
【補正対象項目名】発明の名称
【補正方法】変更
【補正の内容】
【発明の名称】文書情報管理装置および文書情報管理方法
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
従来の技術によれば，ハイパーテキスト上のボタンを操作する場合，ハイパーテキスト上の一つのボタンを指定すると，直ぐに動作が実行されて，リンク先の関連する情報が取り出されるため，複数のボタンを指定して一括で関連する情報の取り出しを行うことはできず，操作性・利便性が悪いという問題点があった。換言すれば，複数のボタンを指定してバッチ処理で関連する情報を取り出す等の動作を行うことはできず，ハイパーテキストの利用が限られた操作手順での利用に制限されていた。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
また，本発明は上記に鑑みてなされたものであって，ハイパーテキスト等の利用方法として，ハイパーテキスト，非ハイパーテキスト上の単語を指定して検索処理を行うことができる文書情報管理装置および方法を提供することを目的とする。
【手続補正１０】
【補正対象書類名】明細書
【補正対象項目名】００１４
【補正方法】変更
【補正の内容】
【００１４】
上記の目的を達成するために，請求項１に係る文書情報管理装置は，画面に表示された単語が選択された場合に，選択された単語を検索キーワードとする検索条件を指定してサーチエンジンに検索を行わせる手段と，前記指定された検索条件に基づき前記サーチエンジンによって行われた検索結果を取得する手段とを備えたものである。
【手続補正１１】
【補正対象書類名】明細書
【補正対象項目名】００１５
【補正方法】変更
【補正の内容】
【００１５】
また，請求項２に係る文書情報管理方法は，画面に表示された単語が選択された場合に，選択された単語を検索キーワードとする検索条件を指定してサーチエンジンに検索を行わせ，前記指定した検索条件に基づき前記サーチエンジンによって行われた検索結果を取得するものである。
【手続補正１２】
【補正対象書類名】明細書
【補正対象項目名】００１６
【補正方法】変更
【補正の内容】
【００１６】
また，請求項３に係る文書情報管理装置は，複数の文書ファイルを記憶する記憶手段と，前記文書ファイルの画面表示を行う表示手段と，前記表示手段に表示されている単語を選択する操作手段と，検索キーワードに基づいて前記記憶手段から該当する文書ファイルを検索する検索手段とを備え，前記検索手段は，前記表示手段に表示されている単語が前記操作手段により選択された場合，選択された単語をキーワードとして用いて文書ファイルの検索を行い，前記表示手段は，前記検索手段の検索結果を表示するものである。
【手続補正１３】
【補正対象書類名】明細書
【補正対象項目名】００１７
【補正方法】変更
【補正の内容】
【００１７】
また，請求項４に係る文書情報管理方法は，文書ファイルの画面表示を行なう表示ステップと，前記表示ステップによって画面上に表示されている単語が選択された場合，選択された単語をキーワードとして指定する指定ステップと，前記指定ステップによって指定されたキーワードに基づいて，複数の文書ファイルを記憶した記憶手段から該当する文書ファイルを検索する検索ステップと，前記検索ステップによる検索結果の画面表示を行なう検索結果表示ステップとを含むものである。
【手続補正１４】
【補正対象書類名】明細書
【補正対象項目名】００１８
【補正方法】変更
【補正の内容】
【００１８】
また，請求項５に係る文書情報管理装置は，少なくとも非ハイパーテキストを含んだ複数の文書ファイルを記憶したデータベース手段と，前記非ハイパーテキストの画面表示を行なう表示手段と，前記表示手段に表示されている非ハイパーテキスト中の単語を選択する操作手段と，前記表示手段に非ハイパーテキストが表示されている場合において，指定されたキーワードに基づいて前記データベース手段から該当する文書を検索する検索手段とを備え，前記検索手段は，前記選択手段により前記表示手段に表示されている単語が選択された場合，選択された単語をキーワードとして指定して検索を行い，前記表示手段は，前記検索手段により行われた検索の結果を表示するものである。
【手続補正１５】
【補正対象書類名】明細書
【補正対象項目名】００１９
【補正方法】変更
【補正の内容】
【００１９】
また，請求項６に係る文書情報管理方法は，非ハイパーテキストの画面表示を行なう表示ステップと，前記非ハイパーテキストが表示されている場合において，指定されたキーワードに基づいてあらかじめ登録された複数の文書ファイルから前記非ハイパーテキストを含んだ該当文書を検索する検索ステップとを含む文書情報管理方法であって，前記検索ステップでは，画面表示されている前記非ハイパーテキスト中の単語が選択された場合，選択された単語をキーワードとして指定して検索を行い，検索結果を画面表示させるものである。
【手続補正１６】
【補正対象書類名】明細書
【補正対象項目名】００２０
【補正方法】変更
【補正の内容】
【００２０】
また，請求項７に係る文書情報管理装置は，複数の文書ファイルを記憶したデータベース手段と，文書ファイルの画面表示を行なう表示手段と，前記表示手段に表示されている文書中の単語を選択する操作手段と，前記表示手段に文書が表示されている場合において，指定されたキーワードに基づいて前記データベース手段から該当する文書を検索する検索手段とを備えた文書情報管理装置であって，前記検索手段は，前記表示手段により表示されている文書中の非ハイパーテキスト単語が選択された場合，選択された非ハイパーテキスト単語をキーワードとして前記検索手段により検索を行ない，前記表示手段は，その検索結果を画面上に表示するものである。
【手続補正１７】
【補正対象書類名】明細書
【補正対象項目名】００２１
【補正方法】変更
【補正の内容】
【００２１】
また，請求項８に係る文書情報管理方法は，文書の画面表示を行なう表示ステップと，前記表示された文書が表示されている場合において指定されたキーワードに基づいてあらかじめ登録された複数の文書ファイルから該当する文書を検索する検索ステップとを備えた文書情報管理方法であって，前記検索ステップでは，前記画面に表示されている文書中の非ハイパーテキスト単語が選択された場合，選択された非ハイパーテキスト単語をキーワードとして前記検索を行ない，その検索結果を画面上に表示させるものである。
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６０
【補正方法】削除
【補正の内容】
【手続補正５７】
【補正対象書類名】明細書
【補正対象項目名】００６１
【補正方法】削除
【補正の内容】
【手続補正５８】
【補正対象書類名】明細書
【補正対象項目名】００６２
【補正方法】削除
【補正の内容】
【手続補正５９】
【補正対象書類名】明細書
【補正対象項目名】００６３
【補正方法】削除
【補正の内容】
【手続補正６０】
【補正対象書類名】明細書
【補正対象項目名】００６４
【補正方法】削除
【補正の内容】
【手続補正６１】
【補正対象書類名】明細書
【補正対象項目名】００６５
【補正方法】変更
【補正の内容】
【００６５】
以上説明したように，本発明によれば，ハイパーテキスト等の利用方法として，ハイパーテキスト，非ハイパーテキスト上の単語を指定して検索処理を行うことができるので，作業性・利便性の向上を図ることができる。
【手続補正６２】
【補正対象書類名】明細書
【補正対象項目名】００６６
【補正方法】削除
【補正の内容】
【手続補正６３】
【補正対象書類名】明細書
【補正対象項目名】００６７
【補正方法】削除
【補正の内容】